(57)【特許請求の範囲】
【請求項１】
一側から粉塵が含まれた煙が流入する流入口と他側に濾過された空気が排出される排気口とを具備して、内部空間が形成されたタンクと、
前記流入口を通じて挿入されて、前記タンクの内部まで延長される流入管と、
前記流入管と連結されて、前記タンクの内部に装着される吸水ユニットとを含み、
前記吸水ユニットは前記タンクに収容された水と接触して、前記煙に含まれた粉塵と有害物質を吸着し、
前記吸水ユニットは、
前記タンクの内部に装着され、前記タンクの上部側に突出して前記タンク内部の濾過された空気を排出する排気管から延長される連通管と、
前記連通管の外周面と端部を囲み、吸湿性を有する不織布または繊維素材である吸着部材と、
駆動力が伝達されて、一方向に回転可能に前記タンクの下部側に装着され、外周面の一部または全部が前記タンクに収容された水に浸るドラムと、
前記ドラムの外周面を囲み、前記タンクに収容された水を吸収して、前記ドラムの回転による遠心力によって、水を前記吸着部材側に供給する不織布または繊維素材である供給部材とをさらに含むことを特徴とする大気汚染物質除去装置。
【請求項２】
前記流入管には、前記粉塵が含まれた煙を前記タンクの内部に強制的に吸引する吸入ファンをさらに具備することを特徴とする請求項１に記載の大気汚染物質除去装置。
【請求項３】
前記タンクには、上部側に突出されて、前記タンク内部の濾過された空気を排出する排気管と、
前記排気管上に装着されて、前記タンク内部の濾過された空気を強制的に排出させる排気ファンとをさらに具備することを特徴とする請求項１に記載の大気汚染物質除去装置。
【請求項４】
前記タンクは、前記吸着部材の直下方に前記タンクと連通されるように配置される排水ホッパーと、
前記排水ホッパーの端部と連通される排水タンクと、
前記排水ホッパーと排水タンクとの間に装着されるフィルターと、
前記ドラムが装着された位置に前記タンクと連通されるように配置され、内部に前記ドラムが装着される貯水筒と、
前記排水タンクと前記貯水筒を相互連結する配管上に装着されて、前記排水タンクから前記貯水筒に水を供給するポンプとをさらに含むことを特徴とする請求項１に記載の大気汚染物質除去装置。
【発明の詳細な説明】
【技術分野】
【０００１】
本発明は大気汚染物質除去装置に関し、さらに詳しくは、比較的簡単な構成によって、大気汚染誘発物質と粉塵を効果的に除去することができるようにする大気汚染物質除去装置に関する。
【背景技術】
【０００２】
大気汚染を誘発する物質は、産業技術の発展によって非常に多様で、広い分野で継続的に増加しつつあり、煤煙及び石油産業による亜硫酸ガスと自動車の排気ガスの中に含有された一酸化炭素等の有毒ガスが大気汚染の主要汚染物質である。
【０００３】
従って、大気汚染防止は、工場及び企業において企業活動に伴って発生する煤煙の排出等を規制し、健康を保護するとともに生活環境を保護するために必須であると言える。
【０００４】
また、塗装工場及び化学工場などのような作業場でも発生する有害物質を含有した粉塵は作業場内で業務中の作業者の健康を脅かし、このような物質が大気中に飛散される場合、深刻な大気汚染を誘発することがある。
【発明の概要】
【発明が解決しようとする課題】
【０００５】
本発明は上記のような問題点を改善するために発明されたもので、比較的簡単な構成によって、大気汚染誘発物質と粉塵を効果的に除去することができるようにする大気汚染物質除去装置を提供することを目的とする。
【課題を解決するための手段】
【０００６】
上記のような目的を達するために、本発明は、一側から粉塵が含まれた煙が流入する流入口と他側に濾過された空気が排出される排気口とを具備し、内部空間が形成されたタンクと、流入口を通じて挿入され、タンクの内部まで延長される流入管と、流入管と連結されて、タンクの内部に装着される吸水ユニットとを含み、吸水ユニットはタンクに収容された水と接触して、煙に含まれた粉塵と有害物質を吸着することを特徴とする大気汚染物質除去装置を提供する。
【０００７】
ここで、流入管には粉塵が含まれた煙をタンクの内部に強制的に吸引する吸入ファンをさらに具備することが好ましい。
【０００８】
この時、タンクは、内部に収容された水と連通され、タンクの上部側に延長されて、タンクの上面から内部に収容された水が落下するように形成されたパイプと、パイプ上に装着されて、タンクに収容された水を揚水するポンプと、パイプの端部に結合され、流入管に装着された吸水ユニット側に揚水された水を噴射するノズルとをさらに含むことが好ましい。
【０００９】
そして、流入管にはタンクに収容された部分の外周面に沿って複数の貫通孔が形成され、吸水ユニットは、貫通孔が形成された部分と流入管の端部を囲む不織布または繊維素材であることが好ましい。
【００１０】
また、吸水ユニットは、流入管の端部からタンクの内側底面に向けて折曲された連結管と、連結管の端部に連通される孔が中央に形成されるカバープレートと、カバープレートと対向し、複数のボルトで締結される仕上げプレートと、カバープレートと仕上げプレートとの間に装着され、タンクに収容された水に一部または全部が漬かって水を吸収する濾過ブロックとを含む構造の実施例を適用することができる。
【００１１】
ここで、タンクには上部側に突出されてタンク内部の濾過された空気を排出する排気管と、排気管上に装着されて、タンク内部の濾過された空気を強制的に排出させる排気ファンとをさらに具備することが好ましい。
【００１２】
この時、吸水ユニットは、タンクの上部側に突出されてタンク内部の濾過された空気を排出する排気管から延長して、タンクの内部に装着される連通管と、連通管の外周面と端部を囲み、吸湿性を有する不織布または繊維素材である吸着部材と、タンクの下部側に駆動力が伝達されて一方向に回転可能に装着され、外周面の一部または全部がタンクに収容された水に浸るドラムと、ドラムの外周面を囲み、タンクに収容された水を吸収して、ドラムの回転による遠心力によって水を吸着部材側に供給する不織布または繊維素材である供給部材とをさらに含むことが好ましい。
【００１３】
また、タンクは吸着部材の直下方にタンクと連通されるように配置される排水ホッパーと、排水ホッパーの端部と連通される排水タンクと、排水ホッパーと排水タンクとの間に装着されるフィルターと、ドラムが装着された位置にタンクと連通されるように配置され、内部にドラムを装着される貯水筒と、排水タンクと貯水筒を相互連結する配管上に装着されて、排水タンクから貯水筒に水を供給するポンプとをさらに含むことが好ましい。
【発明の効果】
【００１４】
上記のような構成の本発明によれば、次のような効果を奏することができる。
【００１５】
まず、本発明はタンクに挿入された流入管と連結される吸水ユニットによって煙に含まれた粉塵と有害物質を吸着させる簡単な構造によって、大気汚染誘発物質と粉塵を効果的に除去することができる。
【００１６】
そして、本発明は吸水ユニットの多様な構造、例えば流入管を不織布または布のような繊維素材で囲んだり、流入管と連通するサンドイッチ形状のパネルの間に、吸水性を有する濾過ブロックを介在したり、排出管の端部に不織布または布のような繊維素材で囲み、タンクの底面で回転するドラムの遠心力によって水を噴射して粉塵を吸着させるなどの多様な実施例によって、装置全体構成の中で一部分のみを取り替えるだけで多様な種類の製品をモジュール化して、各需要先に提供することができるので、多様な需要者の要求に積極的に対応することができる。
【図面の簡単な説明】
【００１７】
【図１】本発明の一実施例による大気汚染物質除去装置の全体構成を示した斜視図である。
【図２】本発明の他の実施例による大気汚染物質除去装置の全体構成を示した斜視図である。
【図３】本発明の他の実施例による大気汚染物質除去装置の主要部分である吸水ユニットの構造を示した概念図である。
【図４】本発明のまた他の実施例による大気汚染物質除去装置の全体構成を示した斜視図である。
【発明を実施するための形態】
【００１８】
図１は本発明の一実施例による大気汚染物質除去装置の全体構成を示した斜視図である。
【００１９】
図１で点線で表示された矢印は、粉塵が含まれた煙または濾過された空気を含む気体の移動方向を示し、実線で表示された矢印は水の移動方向をそれぞれ示し、これは他の図面にも同じく適用される。
【００２０】
本発明は、図示したように、タンク１００に挿入された流入管２００と連結される吸水ユニット３００によって、大気汚染物質に含まれた粉塵及び有害物質の吸着を図る構造であることを把握することができる。
【００２１】
タンク１００は、一側から粉塵が含まれた煙が流入する流入口１０１と他側に濾過された空気が排出される排気口１０２とを具備し、内部空間が形成されたもので、後述する流入管２００と吸水ユニット３００とが装着される空間を提供する。
【００２２】
図１で未説明符号として１０５は、排気口１０２と連結された排気管を示す。
【００２３】
流入管２００は流入口１０１を通じて挿入され、タンク１００の内部まで延長されるもので、後述する流入管２００と連結されて、粉塵が含まれた煙が流入する流路を形成する。
【００２４】
吸水ユニット３００は流入管２００と連結されて、タンク１００の内部に装着され、タンク１００に収容された水と接触して、煙に含まれた粉塵と有害物質を吸着する。
【００２５】
本発明は、上記のような構成の実施例を適用することができ、次のような多様な実施例の適用も可能である。
【００２６】
タンク１００は、上記のように、流入管２００と吸水ユニット３００が装着される空間を提供するもので、このようなタンク１００には外部から水が供給される注入管１０３と、タンク１００に収容された水９００が排出される排出管１０４とをさらに具備し、後述する吸水ユニット３００は、タンク１００に収容された水９００と接触または離隔されるように配置されて、煙に含まれた粉塵と有害物質の吸着を行う。
【００２７】
ここで、流入管２００には粉塵が含まれた煙をタンク１００の内部に強制的に吸引する吸入ファン２１０をさらに具備することが好ましい。
【００２８】
この時、流入管２００にはタンク１００に収容された部分の外周面に沿って複数の貫通孔２０１が形成され、吸水ユニット３００は、貫通孔２０１が形成された部分と流入管の端部を囲む不織布または繊維素材であることが好ましい。
【００２９】
吸水ユニット３００は、流入管２００の外周面に密着される性能を維持するために、やや弾性を有する素材を適用することができ、ファスナーや別途の固定具を利用して流入管２００に固定させることもできる。
【００３０】
また、タンク１００は吸水ユニット３００の吸着性能を維持するために、パイプ１１０の端部にノズル１３０を具備し、パイプ１１０を通じてタンク１００に収容された水９００をポンプ１２０に揚水する実施例を適用することもできる。
【００３１】
即ち、パイプ１１０はタンク１００の内部に収容された水９００と連通され、タンク１００の上部側に延長されて、タンク１００の上面から内部に収容された水９００が落下するように形成される。
【００３２】
ここで、ポンプ１２０はパイプ１１０上に装着されてタンク１００に収容された水９００を揚水するものであり、ノズル１３０はパイプ１１０の端部に結合されて、流入管２００に装着された吸水ユニット３００側に揚水された水９００を噴射するものである。
【００３３】
一方、吸水ユニット３００は、図２及び図３に示すようにサンドイッチ構造の実施例を適用することができる。
【００３４】
即ち、吸水ユニット３００は、流入管２００の端部からタンク１００の内側底面に向けて折曲された連結管３１０の端部に連通される孔３２１が中央に形成されるカバープレート３２０と、カバープレート３２０と対向し、複数のボルト３３１で締結される仕上げプレート３３０と、カバープレート３２０と仕上げプレート３３０との間に装着され、タンク１００に収容された水９００に一部または全部が漬かって水９００を吸収する濾過ブロック３４０とを含む構造の実施例を適用することができる。
【００３５】
ここで、仕上げプレート３３０には、濾過ブロック３４０とタンク１００に収容された水９００が相互連通することができるように、複数の吸水スリット３３２が形成されることが好ましい。
【００３６】
一方、本発明は、上記した実施例の適用が可能であり、図４に示したように、遠心力による水の供給によって、粉塵及び有害物質を吸着させる構造の実施例を適用することもできる。
【００３７】
即ち、タンク１００には、上部側に突出されてタンク１００の内部の濾過された空気を排出する排気管１０５上に排気ファン１５０を装着して、タンク１００の内部の濾過された空気を強制的に排出させることができる。
【００３８】
この時、吸水ユニット３００は、連通管３５０に装着された吸着部材３６０に向けてドラム３７０の外周面に沿って装着された供給部材３８０がドラム３７０の回転による遠心力によって、タンク１００の内部の水９００を撒くように供給することができる構造である。
【００３９】
連通管３５０は排気管１０５から延長されてタンク１００の内部に装着され、吸着部材３６０は連通管３５０の外周面と端部を囲んで、吸湿性を有する不織布または繊維素材で構成される。
【００４０】
ドラム３７０はタンク１００の下部側に駆動モーター３７１から駆動力が伝達されて一方向に回転可能に装着されて、外周面の一部または全部がタンク１００に収容された水９００に浸かれ、供給部材３８０はドラム３７０の外周面を囲んで、タンク１００に収容された水９００を吸収し、ドラム３７０の回転による遠心力によって水９００を吸着部材側に供給する（実線矢印を参照）不織布または繊維素材で構成される。
【００４１】
ここで、タンク１００は吸水ユニット３００に水９００を円滑に供給するために、排水ホッパー１０６、排水タンク１０７、フィルター１５０、貯水筒１０８及びポンプ１６０をさらに具備することもできる。
【００４２】
即ち、排水ホッパー１０６は吸着部材３６０の直下方にタンク１００と連通されるように配置され、排水タンク１０７は排水ホッパー１０６の端部と連通されて落下する水９００を一時的に収容し、フィルター１５０は排水ホッパー１０６と排水タンク１０７との間に装着されて吸着部材３６０に水とともに吸着された粉塵または有害物質などを濾過する。
【００４３】
また、貯水筒１０８はドラム３７０が装着された位置にタンク１００と連通されるように配置されて、内部にドラム３７０が装着される空間が形成され、ポンプ１６０は排水タンク１０７と貯水筒１０８とを相互連結する配管１０９上に装着されて、排水タンク１０７から貯水筒１０８に水を供給する役割を果たす。
【００４４】
以上のように、本発明は比較的簡単な構成によって、大気汚染誘発物質と粉塵を効果的に除去することができるようにする大気汚染物質除去装置を提供することを基本的な技術思想にしていることが分かる。
【００４５】
そして、本発明の基本的な技術思想の範疇内で当業者にとって他に多様な変形及び応用も可能である。
【符号の説明】
【００４６】
１００：タンク
２００：流入管
３００：吸水ユニット
【図１】
0005894165.tif 000002
【図２】
0005894165.tif 000003
【図３】
0005894165.tif 000004
【図４】
0005894165.tif 000005